(57)【要約】【課題】被保護者を監視する保護者が、遠隔箇所からも随時監視カメラを操作して、画像により被保護者の状況を監視し、また随時当該公園に近い者に連絡して公園に駆けつけてもらうことができる。【解決手段】屋上公園１を撮影する監視カメラ２及びこれと接続した中継制御器３を設け、公園１で子供６を遊ばせる保護者を会員として予め登録させ、これらの会員４の各自所有する携帯端末機又はパソコン５を上記中継制御器３と接続できるようにし、上記中継制御器３には、会員４から警報を受信した場合、当該公園１に一番近い会員順に転送できるように予めセットしておき、会員４は公園から離れた場所から、会員４が各自の携帯端末機又はパソコン５により、随時発信して、上記監視カメラ２を操作し、公園１内の子供６の状況を画像で監視できる構成とした。【選択図】    図１
2004266464.tif 000002
【特許請求の範囲】
【請求項１】
公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の所有する携帯端末機又はパソコンを上記中継制御器と、アドレスの付与により接続できるようにし、上記中継制御器には、会員から警報を受信した場合、当該公園に一番近い会員に転送するが、その会員が不在ないし、連絡不能な場合は、次に近い会員へと順次転送できるように予めセットしておき、会員は公園から離れた場所から、会員が各自所有する携帯端末機又はパソコンにより、随時発信して、上記中継制御器を介して上記監視カメラを操作し、当該監視カメラで公園内の被保護者の状況を画像で監視できる構成としたことを特徴とする、公園遠隔監視装置。
【請求項２】
上記監視カメラは、常時撮影シーンを記録し、随時当該記録を再生することができるものであることを特徴とする、請求項１記載の公園遠隔監視装置。
【請求項３】
公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の所有する携帯端末機又はパソコンを上記中継制御器と、アドレスの付与により接続できるようにし、上記中継制御器には、会員から警報を受信した場合、当該公園に一番近い会員に転送するが、その会員が不在ないし、連絡不能な場合は、次に近い会員へと順次転送できるように予めセットしておき、会員は公園から離れた場所から、会員が各自所有する携帯端末機又はパソコンにより、随時発信して、上記中継制御器を介して上記監視カメラを操作し、当該監視カメラで公園内の被保護者の状況を画像で監視し、公園における見知らぬ者の不審な行動や自分の監視している被保護者がいなくなった場合、携帯端末機又はパソコンにより当該公園に一番近い会員に連絡をとることを特徴とする、公園遠隔監視方法。
【請求項４】
上記会員から中継制御器に警報を発した際、当該中継制御器はこの警報の受信と同時に警備会社又は住宅の管理人へも警報を発することを特徴とする、請求項３記載の公園遠隔監視方法。
【請求項５】
公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の所有するＧＰＳ付き携帯端末機又はパソコンを上記中継制御器と、アドレスの付与により接続できるようにし、上記中継制御器には、会員が公園内の状況を監視しようとして随時発信する際のＧＰＳを介した会員の位置情報を蓄積しておき、会員から警報を受信した場合、上記位置情報の内の最新情報の中から上記公園に一番近い会員を検索しその会員に転送するが、その会員が不在ないし連絡不能な場合は、次に近い会員へと順次転送できるように予めセットしておき、会員は公園から離れた場所から、会員が各自所有する上記ＧＰＳ付き携帯端末機又はパソコンにより、随時発信して、上記中継制御器を介して上記監視カメラを操作し、当該監視カメラで公園内の被保護者の状況を画像で監視し、公園における見知らぬ者の不審な行動や自分の監視している被保護者がいなくなった場合、上記ＧＰＳ付き携帯端末機又はパソコンにより当該公園に一番近い会員に連絡をとることを特徴とする、公園遠隔監視方法。
【発明の詳細な説明】
【０００１】
【発明の属する技術分野】
この発明は、団地内の公園、ビルの屋上公園等特定の公園で遊ぶ子供等の被保護者を、その親等の保護者が積極的に監視カメラを遠隔操作して監視する装置及び方法に関するものである。
【０００２】
【従来の技術】
住宅の都心回帰が進む一方で、近年、繁華街等で凶悪犯罪が増加し、オフィスや商店だけでなく住宅のセキュリティー確保が重要となっている。警視庁でも建物のセキュリティー設備の強化を推奨しており、特に都心部の集合住宅の防犯設備強化は必須の状況にある。
このような中で、都心部の一般の公園が危険度を増しており、特に子供だけで遊ばせるのは危険である。そこで、子供が安心して自然とふれあい、遊ぶことができる公園として、集合住宅の屋上をビオトープ型の公園緑化し、そこで子供達を遊ばせることが考えられる。しかしながら、このような屋上公園においても、子供達だけで遊ぶには、誘拐などの危険は残る。
従来、このような一般の公園や屋上公園において、子供を監視するには、監視カメラを設置して、常時監視カメラで公園を撮影しており、事故があった際、その状況を後からビデオ等で再現してみているだけである。
【０００３】
【発明が解決しようとする課題】
しかしながら、このような監視体制では、児童の誘拐や事故の際の処置を迅速に処理することが出来ず、大きな事故等になる危険の可能性がある。また、公園を監視カメラで撮影したものを常時モニターで管理人等が監視する方法もあるが、一人一人の児童を監視するのは難しく、またコスト高となってしまう。
【０００４】
そこで、この発明は、このような従来の、監視カメラを設置して、子供等の被保護者を撮影するのではなく、子供等の被保護者を監視する保護者が、遠隔箇所からも随時、監視カメラを操作して、画像により公園及び被保護者の状況を監視し、また随時当該公園に近い者に連絡して公園に駆けつけてもらうことができる装置及び方法を提供することを目的としたものである。
【０００５】
【課題を解決するための手段】
請求項１の発明は、公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の所有する携帯端末機又はパソコンを上記中継制御器と、アドレスの付与により接続できるようにし、上記中継制御器には、会員から警報を受信した場合、当該公園に一番近い会員に転送するが、その会員が不在ないし、連絡不能な場合は、次に近い会員へと順次転送できるように予めセットしておき、会員は公園から離れた場所から、会員が各自所有する携帯端末機又はパソコンにより、随時発信して、上記中継制御器を介して上記監視カメラを操作し、当該監視カメラで公園内の被保護者の状況を画像で監視できる構成とした、公園遠隔監視装置である。
【０００６】
請求項２の発明は、上記請求項１の発明において、上記監視カメラは、常時撮影シーンを記録し、随時当該記録を再生することができる構成とし、これにより当該公園は、夜間等の時間帯は通常の防犯カメラで撮影していることができ、防犯装置として稼動できるものである。
【０００７】
請求項３の発明は、公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の各自所有する携帯端末機又はパソコンを上記中継制御器と、アドレスの付与により接続できるようにし、上記中継制御器には、会員から警報を受信した場合、当該公園に一番近い会員に転送するが、その会員が不在ないし、連絡不能な場合は、次に近い会員へと順次転送できるように予めセットしておき、会員は公園から離れた場所から、会員が各自所有する携帯端末機又はパソコンにより、随時発信して、上記中継制御器を介して上記監視カメラを操作し、当該監視カメラで公園の状況を画像で監視し、公園における見知らぬ者の不審な行動や自分の監視している被保護者がいなくなった場合、携帯端末機又はパソコンにより当該公園に一番近い会員に連絡をとる、公園遠隔監視方法とした。
【０００８】
請求項４の発明は、上記請求項３の発明において、上記会員から中継制御器に警報を発した際、当該中継制御器はこの警報の受信と同時に警備会社又は住宅の管理人へも警報を発する公園遠隔監視方法とした。これにより当該公園の警備会社又は管理人にも同時に通報し、事故などの処置をとってもらうこともできる。
【０００９】
請求項５の発明は、公園内の被保護者を遠隔箇所から監視するシステムにおいて、当該公園を撮影する監視カメラ及びこの監視カメラと接続した中継制御器を設け、当該公園で被保護者を遊ばせる保護者を、会員として予め登録させ、これらの会員の各自所有するＧＰＳ付き携帯端末機又はパソコンを上記中継制御器と、アドレスの付与により接続できるようにし、上記中継制御器には、会員が公園内の状況を監視しようとして随時発信する際のＧＰＳを介した会員の位置情報を蓄積しておき、会員から警報を受信した場合、上記位置情報の内の最新情報の中から上記公園に一番近い会員を検索しその会員に転送するが、その会員が不在ないし連絡不能な場合は、次に近い会員へと順次転送できるように予めセットしておき、会員は公園から離れた場所から、会員が各自所有する上記ＧＰＳ付き携帯端末機又はパソコンにより、随時発信して、上記中継制御器を介して上記監視カメラを操作し、当該監視カメラで公園の状況を画像で監視し、公園における見知らぬ者の不審な行動や自分の監視している被保護者がいなくなった場合、上記ＧＰＳ付き携帯端末機又はパソコンにより当該公園に一番近くにいる会員に連絡をとる、公園遠隔監視方法とした。
【００１０】
【発明の実施の形態】
以下この発明の実施の形態例を図に基づいて説明する。
マンシヨン等の屋上に設けた屋上公園１内に、当該公園１の隅々まで撮影できる１台又は複数台の監視カメラ２を設ける。また、これらの監視カメラ２と接続した、ウエブサーバ等の中継制御器３を設け、この中継制御器３は、当該公園１内か又はマンシヨン内に設置してもよい。
そして、当該公園１で子供を遊ばせる複数の親乃至は保護者を会員４として予め登録させておく。これらの会員４は、各自の所有する携帯電話等の携帯端末機又はパソコン５を上記中継制御器３と、アドレスの付与により接続できるようにしている。
また、上記中継制御器３には、会員４から警報を受信した場合、当該公園１に一番近い会員４ｘに転送するが、その会員４ｘが不在ないし、連絡不能な場合は、次に近い会員４ｙへと順次転送できるように予めセットしておく。これはまた、会員４は予め、登録された複数の会員４のなかで親密度の高い等の転送順番を決めておき、これを中継制御器３にセットすることも出来る。
【００１１】
そして、屋上公園１で遊ぶ自分の子供６を、会員４は通常直接見守っているが、炊事や買い物等の所用により、自分の子供６を屋上公園１で直接監視できなくなった場合、会員４は当該屋上公園１から離れた場所から、会員４が各自所有する携帯端末機又はパソコン５により、随時発信して、上記中継制御器３を介して上記監視カメラ２を操作し、当該監視カメラ２で屋上公園１の自分の子供６を画面に映し出して監視することができる。
このように、遠隔箇所から自分の子供６を監視している場合に、当該屋上公園１に不審者が入ってきたとか、自分の監視している子供６がいなくなった時に自己の携帯端末機又はパソコン５により中継制御器３に警告を発する。これにより中継制御器３では、予めインプットされている順番に従ってある会員４の携帯端末機又はパソコン５に転送する。従って、その時点で当該屋上公園１に一番近い会員４ｘに連絡をとり、直ちにその会員４ｘに屋上公園１に駆けつけてもらうことができる。そして、屋上公園１に駆けつけてもらったその会員４ｘに状況を説明してもらい、次の措置を早急にとることができる。
【００１２】
また、上記会員４から中継制御器３に警報を発した際、これと同時に警備会社７又は管理人８へも警報を発するように中継制御器３をセットしておくこともできる。これにより当該屋上公園１の警備会社７又は管理人８にも通報し、事故などの処置をすばやくとってもらうこともできる。
さらに、各会員４の所有する携帯端末機をＧＰＳ付きないし内蔵の携帯端末機５としておけば、会員４から中継制御器３に警報が発せられた場合、当該中継制御器３は、その時点での複数会員４のなかで実際に最も屋上公園１に近くにいる人を検索し、最も近くにいる会員４ｘに通報し、その会員４ｘの応答がない場合に次に近い会員４ｙに転送することが出来る。
携帯端末機５にＧＰＳ（Ｇｌｏｂａｌ  Ｐｏｓｉｔｉｏｎ  Ｓｙｓｔｅｍ）を取り付け、ないし内蔵しておけば、複数の会員が、各自の携帯端末機５から随時発信した際に、各自の位置情報が上記中継制御器３に蓄積され、中継制御器３は、常時、最も近くにいる会員４の位置情報を把握できているからである。ＧＰＳ内蔵の携帯端末機については、最近、ＧＰＳ内蔵の携帯電話が市販されているので、容易に入手できる。
【００１３】
また、上記実施の形態例において、上記監視カメラ２は、常時撮影シーンを記録し、随時当該記録を再生することができる構成とすることもできる。これにより当該公園は、夜間等の時間帯は通常の防犯カメラで撮影していることができ、防犯装置としても有効となる。
また、監視カメラ２として、夜の暗さの中で移動する物体を検知する機能を有する監視カメラを設置してもよい。このような機能を有する監視カメラを設置すると、最近、集合住宅に発生している夜中に隣の集合住宅の屋上からの侵入者を監視することができる。この場合には、上記中継制御器を、警備会社や管理人へ警報を発するようにセットしておけばよい。
なお、上記実施の形態例では、公園で監視する対象を、子供として説明したが、これに限るものではなく、保護を要するもの、即ち、子供、病人、老人、ペット等の被保護者全般が対象となる。  また、保護者も、親、兄弟、祖父母に限らない。
【００１４】
【発明の効果】
この発明によれば、従来の監視カメラで、公園等を一定期間撮影しておくものと比べ、保護者が遠隔地からも自分の監視する被保護者を、各自の所有する携帯端末機又はパソコンにより積極的に監視カメラを操作して監視するため、行き届いた監視ができる。また、遠隔地から監視している際、当該公園に直に行って見て確かめたい場合、公園に近い順に会員を呼び出し、公園へ行ってもらって確かめることが出来、いち早い対処が出来、監視がより完全となる。また、請求項２の発明は、監視装置だけでなく、防犯装置としても使用でき、便利である。
【図面の簡単な説明】
【図１】この発明の実施の形態例の概要構成図である。
【符号の説明】
１    屋上公園                      ２    監視カメラ
３    中継制御器                    ４    会員
５    携帯電話又はパソコン          ６    子供
７    警備会社                      ８    管理人
【図１】
2004266464.tif 000003